(57)【要約】      （修正有）【課題】手洗器の排水管中に設けたゴミ受部の清掃を容易にすることができる手洗器を提供する。【解決手段】手洗器が、洗浄水を受けるボウル１３０と、ボウルに設けられた排水口１３５と、排水口と下水管３１０とを接続し、排水口から排出される洗浄水を下水管へ排水する排水管１６０と、排水管による排水経路の途中に設けられ、洗浄水中のゴミを受け止めるゴミ受部１８０と、を備え、ゴミ受部が、排水経路上に設置され、洗浄水からゴミを濾しとる濾し部１８１と、一端が排水管と接続され、他端が濾し部を抜き出すための開口を有し、開口側の端部が、排水管側の端部よりも高い位置に設けられた筒部１８２と、を備える。【選択図】図４
2020079521.tif 000002
【特許請求の範囲】
【請求項１】
洗浄水を受けるボウルと、
前記ボウルに設けられた排水口と、
前記排水口と下水管とを接続し、前記排水口から排出される前記洗浄水を前記下水管へ排水する排水管と、
前記排水管による排水経路の途中に設けられ、前記洗浄水中のゴミを受け止めるゴミ受部と、
を備え、
前記ゴミ受部が、
前記排水経路上に設置され、前記洗浄水から前記ゴミを濾しとる濾し部と、
一端部が前記排水管と接続され、他端部が前記濾し部を抜き出すための開口を有し、当該開口側の端部が、前記排水管側の端部よりも高い位置に設けられた筒部と、
を備える
手洗器。
【請求項２】
前記濾し部の少なくとも一部が、前記排水経路中に設けられた排水トラップの封水内に位置し、前記筒部の前記濾し部を抜き出す前記開口が、前記封水よりも上に位置する請求項１に記載の手洗器。
【請求項３】
前記ゴミ受部が、前記筒部の前記濾し部を抜き出す前記開口を閉じる蓋部を有し、当該蓋部と前記濾し部とが一体に構成されている請求項１又は２に記載の手洗器。
【発明の詳細な説明】
【技術分野】
【０００１】
本発明は、手洗器に関する。
【背景技術】
【０００２】
洗面所などに設けられる手洗器は、手の汚れを洗い流すための水を吐出する水栓や、当該水を受けるボウル部、当該ボウル部で受けた水を下水管へ排水する排水管を備えている。手洗器を使用する際、大きなゴミを流してしまうと、排水管が詰まり、排水管を取り外してゴミを取り除くといった、大掛かりな修理が必要になってしまう。このため、ボウル部の排水口に格子状の蓋（目皿）や網等を設けて、ゴミを受け止め、ゴミが排水管へ流れることを防止した装置が提案されている（特許文献１）。
【先行技術文献】
【特許文献】
【０００３】
【特許文献１】特開平５−８６６３９号公報
【特許文献２】特開２０１５−２５３１０号公報
【特許文献３】特開平１１−１４１７７０号公報
【発明の概要】
【発明が解決しようとする課題】
【０００４】
ゴミを受け止める目皿や網が使用者から見える位置に設置されると、この目皿等に溜まったゴミを使用者が目にすることになり、使用者に不快感を与えるという問題点があった。更に、目皿にゴミが溜まり過ぎると、排水の流れが悪くなって、手を洗っている最中にボウル部に排水が溜まり、この排水が跳ねる等して、衛生上問題となるため、頻繁に清掃が必要になる。
【０００５】
また、特許文献２では、排水口の開口が利用者から見えないように遮蔽部を備えることで外観を向上させる手洗器が提案されているが、排水口が直接視認できないようにしても排水口の目皿にゴミが溜まると、このゴミやゴミのために滞留した水が目につくようになるので、美感を保つためには、頻繁な清掃が必要になる。なお、目皿や網を排水口の奥（排水方向下流側）に設ければ、多少ゴミが溜まっても遮蔽部によって隠れるため美感を保てるが、遮蔽部に遮られて蓋や網の清掃が行えなくなるので、排水口の奥に目皿や網を設けることができない。また、上水管であれば、特許文献３のように配管中にストレーナを設けることも考えられるが、排水管中にストレーナ（ゴミ受部）を設けたのでは、ストレーナに排水中のゴミが直ぐに溜まり、頻繁に排水管を外して清掃しなければならなくなるので、現実的ではない。
【０００６】
そこで、本発明は、手洗器の排水管中に設けたゴミ受部の清掃を容易にする技術の提供を目的とする。
【課題を解決するための手段】
【０００７】
本発明に係る手洗器は、
洗浄水を受けるボウルと、
前記ボウルに設けられた排水口と、
前記排水口と下水管とを接続し、前記排水口から排出される洗浄水を前記下水管へ排水する排水管と、
前記排水管による排水経路の途中に設けられ、前記洗浄水中のゴミを受け止めるゴミ受部と、を備え、
前記ゴミ受け部は、
前記排水経路上に設置され、前記洗浄水から前記ゴミを濾しとる濾し部と、
一端部が前記排水管と接続され、他端部が前記濾し部を抜き出すための開口を有し、当該開口側の端部が、前記排水管側の端部よりも高い位置に設けられた筒部と、
を備える。
【０００８】
前記手洗器は、前記濾し部の少なくとも一部が、前記排水経路中に設けられた排水トラップの封水内に位置し、前記筒部の前記濾し部を抜き出す前記開口が、前記封水よりも上に位置してもよい。
【０００９】
前記ゴミ受部は、前記筒部の前記濾し部を抜き出す前記開口を閉じる蓋部を有し、当該蓋部と前記濾し部とが一体に構成されてもよい。
【発明の効果】
【００１０】
本発明によれば、手洗器の排水管中に設けたゴミ受部の清掃を容易にする技術を提供できる。
【図面の簡単な説明】
【００１１】
【図１】手洗器の一例を示す斜視図である。
【図２】手洗器の一例を示す平面図である。
【図３】手洗器の一例を示す正面図である。
【図４】手洗器の一例を示すＡ−Ａ断面図である。
【図５】ストレーナの斜視図である。
【図６】変形例１に係るストレーナを示す図である。
【図７】変形例２に係るストレーナを示す図である。
【図８】変形例２に係る筒部の開口側端部を示す図である。
【図９】変形例２に係るストレーナを先端から見た図である。
【図１０】筒部に蓋部を取り付けた状態（係合状態）を示す図である。
【発明を実施するための形態】
【００１２】
＜手洗器の構成＞
以下、本発明の実施の形態について、図面に基づいて説明する。なお、実施の形態は本発明の一例であり、本発明の構成は以下の例には限られない。
【００１３】
図１は、本実施形態に係る手洗器１０の一例を示す斜視図である。また、図２、図３及び図４は、本実施形態に係る手洗器１０の一例を示す平面図、正面図及びＡ−Ａ断面図である。手洗器１０は、手洗用の水を吐出する手洗用水栓（「第１の水栓」とも称す）１１０と、手洗用水栓１１０の前に手がかざされたことを、例えば赤外線を利用して検知する手検知センサ１１２と、手洗水を受けるボウル部（単に「ボウル」とも呼ぶ）１３０と、排水口１３５と、排水管１６０と、ボウル部１３０を洗浄するための洗浄水を吐出するボウル洗浄用水栓１７０とを有する。なお、手洗器１０は、自動又は手動で洗剤を吐出する洗剤保持部をさらに有していてもよい。また、手洗器１０は、手検知センサ１１２の代わりに手洗用水栓１１０を吐水又は止水させるためのつまみ（ハンドル）又はレバーを有していてもよい。本実施形態では、手洗器１０の使用時に使用者が位置する側を「手前」と呼び、その反対方向を「奥」と呼ぶ。
【００１４】
手洗用水栓１１０は、水道水や井戸水の上水管２０１に電気的駆動弁２０２を介して接続された水栓である。また、手洗用水栓１１０の手前側先端部には手検知センサ１１２が設けられている。手検知センサ１１２は、例えば赤外線センサであり、使用者が手を洗おうとして手洗用水栓１１０の前に出した際、赤外線の変化により、この手が出されたこと
を検知する。
【００１５】
手検知センサ１１２は、電気的駆動弁２０２を制御する水栓制御部２０と電気的に接続されている。手検知センサ１１２で手が出されたことを検知した場合、水栓制御部２０は、電磁弁、電動弁等のような電気的駆動弁２０２を駆動させて、手洗用水栓１１０から手洗水を吐出させる。
【００１６】
さらに、手洗器１０は、ボウル部１３０を洗浄するボウル洗浄用水栓（「第２の水栓」とも呼ぶ）１７０を有している。本実施形態では、ボウル洗浄用水栓１７０は、正面視で手洗用水栓１１０の下方に設けられている。また、図３において一点鎖線の矢印で示すように、ボウル洗浄用水栓１７０は、ボウル部１３０の内壁に沿ってボウルを洗浄するための洗浄水（「ボウル洗浄水」とも呼ぶ）を吐出する。なお、ボウル洗浄水は、図３に示すように正面視で左右に吐出するようにしてもよいし、いずれか一方に吐出するようにしてもよい。また、左右に吐出する場合は、一方と他方とで吐出方向に角度差をつけたり、吐出タイミングに時間差をつけたりしてもよい。また、ボウル部１３０の縁に沿ってボウル洗浄用水栓１７０を設け、ボウル部１３０の縁から内壁に沿ってボウル洗浄水を吐出するようにしてもよい。後述するように、ボウル洗浄水は、例えば、使用者が手洗器１０を使用した後に吐出される。このようにすれば、ボウル部１３０の内部を適切なタイミングで清掃できるようになる。
【００１７】
図４に示すように、手洗用水栓１１０とボウル洗浄用水栓１７０が、電気的駆動弁（三方弁）２０２を介して上水管２０１に接続されており、水栓制御部２０が電気的駆動弁２０２を制御することにより、洗浄水の吐出先を手洗用水栓１１０又はボウル洗浄用水栓１７０に切り換えることができる。
【００１８】
また、手洗器１０は、人感センサ１５０を有している。人感センサ１５０は、例えば、赤外線センサである。人感センサ１５０は、水栓制御部２０と電気的に接続されている。本実施形態の人感センサ１５０は、手洗器１０の手前側に検出領域を有し、使用者の存在を検知して、この検知結果を水栓制御部２０に入力する。そして、使用者の存在を検出しなくなったこと、即ち使用者が手洗器１０の前から去ったことを人感センサ１５０が検知することにより、水栓制御部２０が電気的駆動弁２０２を駆動させて、ボウル洗浄用水栓１７０からボウル洗浄水を吐出させる。本実施形態では、人感センサ１５０を備えたことにより、使用者が手洗器１０の使用を終えたタイミングでボウル部１３０を洗浄することができる。これにより、汚れがボウル内で固まって洗い流し難くなる前に、速やかにボウル部１３０を清掃できる。
【００１９】
水栓制御部２０は、センサ１１２，１５０の検出結果に限らず、所定のタイミングで洗浄水を吐出させてもよい。例えば、水栓制御部２０は、定期的に洗浄水を吐出させることや、最後に洗浄水を吐出させてから所定時間経過したタイミングで洗浄水を吐出させることとしてもよい。
【００２０】
また、ボウル部１３０は、手洗用水栓１１０及びボウル洗浄用水栓１７０から吐出された水を受けて排水管１０６へ排水するため、例えばボウル部１３０の最下部に排水口１３５を有している。排水口１３５の直上には、下部周壁１３６に囲繞された上向きの排水路１３７が設けられ、排水路１３７の上方を覆うようにボウル部内側の内底部１３１が前側へ延設されている。ボウル部１３０の内空を囲む周壁の前側部分は、排水口１３５よりも手前側へ張り出して設けられており、この張り出した前側部分の内壁１３２と内底部１３１との間にスリット状の開口１３３が形成されている。内壁１３２の下部には、開口１３３の下側で排水口１３５側へ湾曲された前底部１３４が延設され、前底部１３４と内底部１３１との間の空間が、開口１３３から排出される水の排水路１３８となっている。
【００２１】
ボウル部１３０に吐出された水は、ボウル部１３０の内壁に沿って開口１３３へ流れ込み、排水路１３８及び排水路１３７を通り、排水口１３５から排水管１６０へ排水として排出される。
【００２２】
本例の手洗器１０は、排水口１３５の上方に内底部（遮蔽部とも称す）１３１を有し、使用者から排水口１３５が見えないように構成されている。また、ボール部内の水を排出する開口１３３が、排水口１３５よりも前側に設けられている、即ち、平面視において、排水口１３５の外側に外れた位置に設けられているため、使用者が上方から開口１３３を覗き込んだとしても、前底部１３４が見えるだけで、排水口１３５は見えない。
【００２３】
排水管１６０は、上端の上流側接続部１６１が、ボウル部１３０の排水口１３５を有する下部周壁１３６の下端とパッキン１６２を介して接続され、反対側の端部が、壁３０内に埋設された下水管３１０に接続され、排水口１３５と下水管３１０とを連通させている。
【００２４】
排水管１６０は、排水方向下流側の一部、図４の例では下水管３１０との下流側接続部１６３に対し、その上流側の流路が下流側接続部１６３よりも低い位置へ下降した後、上向きに湾曲して、上方へ延設され、上端である上流側接続部１６１が下流側接続部１６３よりも高い位置でボウル部１３０と接続されている。このため、排水管１６０において、下流側接続部１６３よりも低い湾曲部分に排水（封水）１６４が溜まり、排水路を水封するので、この湾曲部分が排水トラップ１６５となる。
【００２５】
また、排水管１６０による排水経路の途中には、排水中のゴミを受け止めるゴミ受部１８０が設けられている。ゴミ受部１８０は、排水経路上に配置され、排水からゴミを濾しとる濾し部（ストレーナとも称す）１８１と、排水経路上に配置されたストレーナ１８１を水平方向よりも上側に向けて抜き出すための経路を内包する筒部１８２と、筒部１８２の前側端部の開口を密閉する蓋部１８３とを有している。
【００２６】
筒部１８２は、一端が排水管と接続され、他端がストレーナ１８１を抜き出すための開口１８２１を有し、当該開口側の端部が、前記排水管側の端部よりも高い位置に設けられている。
【００２７】
図５は、ストレーナ１８１の斜視図である。図５に示すように、ストレーナ１８１は、有底筒状の網部１８Ａと、取っ手１８Ｂとを有している。網部１８Ａと取っ手１８Ｂは、筒部１８２及び排水管１６０内に収まる大きさに形成され、筒部１８２に対して挿抜可能に形成されている。
【００２８】
網部１８Ａは、先端側を底部１８Ａ１、後端側を開口１８Ａ２とし、排水を開口１８Ａ２から流入させ、先端側へ通過させることで、排水中のゴミを濾しとり、網部１８Ａ内に保持する。取っ手１８Ｂは、網部１８Ａの後部に延設され、ストレーナを抜き出す際の手掛かりとして用いられる。なお、本実施形態では、ゴミを濾しとるための濾材として、網部１８Ａを用いたが、これに限らず、パンチングメタルや格子など、排水を通し、ゴミを止める開口を有した部材であればよい。また、本実施形態のストレーナ１８１は、ステンレスで構成されているが、濾材の材質は、これに限らず、金属、セラミック、琺瑯、合成樹脂など、ゴミを受け止める形状を維持できるものであればよい。
【００２９】
筒部１８２の開口側端部の外周には、雄ネジ部が形成され、この筒部１８２の開口側端部に外嵌される蓋部１８３の雄ネジ部と対向する内周面に、雌ネジ部が形成されており、これらネジ部を螺合することで蓋部１８３が筒部１８２に取り付けられ、開口１８２１を
密閉する。
【００３０】
蓋部１８３を外した状態で、ストレーナ１８１が、筒部１８２の開口１８２１に挿入されると、ストレーナ１８１の先端が排水管１６０の湾曲した内壁に突き当たる位置に配置される。この場合、ストレーナ１８１の網部１８Ａが、トラップ１６５の封水１６４内で、開口１８Ａ２を上側、即ち排水路の下流側に向けて配置される。そして、筒部１８２の開口側端部に蓋部１８３を取り付けて密閉する。
【００３１】
本実施形態の手洗器１０では、ゴミ受部１８０が、排水トラップ１６５の上流部分に設けられている。なお、これに限らず、ゴミ受部１８０は、排水管１６０の何処に設けられてもよいが、蓋部１８３を外した際の臭気の漏れや衛生害虫の進入を防止するためにトラップ１６５内或はトラップ１６５よりも排水方向上流側に設けることが望ましい。
【００３２】
本実施形態における手洗器１０は、排水経路の途中にゴミ受部１８０を備え、排水経路の途中でゴミを受け止め、下水管３１０にゴミが流入することを抑えている。従来の手洗器では、排水口に設けた目皿や網でゴミを受け止めるものが広く普及しているが、目皿等にゴミが溜まると、使用者が手を洗う際に、このゴミを目にして、不快に感じることになる。このため、使用者に不快感を与えないためには、頻繁に清掃する必要がある。これに対し、本実施形態の手洗器１０では、排水口１３５よりも下流側でゴミを受け止めるので、使用者が溜まったゴミを目にすることを抑えられる。特に、本実施形態では、排水口１３５を内底部（遮蔽部）１３１が覆っているため、使用者が排水口１３５内を見ることがなく、多少ゴミが溜まったとしても使用者に不快感を与えることがない。
【００３３】
また、従来目皿等にゴミを溜まると、排水の流れが悪くなり、ボール部内に排水が溜まることになる。一時的にでも排水が溜まると、手を洗う際に排水が跳ねる等して不衛生であると共に、非常に不快感を感じることになる。このため、ガムやタバコの吸い殻等、排水の流れを悪くするようなゴミが捨てられた場合には、迅速に清掃する必要がある。
【００３４】
これに対し本実施形態では、ゴミ受部１８０とボウル部１３０の開口１３３とが離れているため、多少水が溜まったとしても排水管内で収まる程度であれば、使用者が目にすることがないため、不快感を与えることがない。特に、本実施形態では、ゴミ受部１８０の網部１８Ａが封水内に配置されているので、排水から濾しとられたゴミが、封水内、即ち封水内で保持されるので、溜まったゴミの臭いによって使用者に不快感を与えることがない。
【００３５】
このように本実施形態の手洗器１０では、多少ゴミが溜まっても美感が保たれるため、清掃の頻度を抑えることができ、清掃の負荷を軽減できる。
【００３６】
〈清掃方法〉
手洗器１０のゴミ受部１８０を洗浄する場合、清掃者は、蓋部１８３を開け、ストレーナ１８１の取っ手１８Ｂを持ってストレーナ１８１を抜き出す。そして、ストレーナ１８１を洗浄し、ストレーナ１８１を筒部１８２へ挿入し、蓋を閉める。
【００３７】
〈実施形態の効果〉
上記のように、本実施形態の手洗器１０では、排水管１６０を外すことなく、排水管１６０の途中に設けたゴミ受部１８０のストレーナ１８１を抜き出すことができるので、容易にゴミ受部１８０の清掃を行うことができる。
【００３８】
特に、本実施形態の手洗器１０では、ストレーナ１８１を抜き出すための経路が上向きに形成され、開口１８２１が封水１６４の上面（水面）１６９よりも高い位置に設けられ
ているため、蓋部１８３を外した場合でも封水１６４がこぼれて床を汚染することがなく、容易に清掃を行うことができる。
【００３９】
また、上記のように、抜き出したストレーナ１８１を洗浄して再度設置することに限らず、洗浄済みのストレーナ（交換用ストレーナ）１８１を手洗器１０に設置されているストレーナ１８１とは別に用意しておき、抜き出したストレーナ１８１に代えて洗浄済みのストレーナを設置してもよい。例えば、高速道路のサービスエリアに備えられたトイレのように、多数の使用者が立て続けに使用する場所では、洗浄済みのストレーナ１８１を手洗器１０の台数分準備しておき、各手洗器１０に設置されているストレーナ１８１と洗浄済みのストレーナ１８１とを交換し、この交換した未洗浄のストレーナ１８１を別の場所で洗浄し、次回の交換に用いるようにしてもよい。この方法であれば、手洗器１０が設置されている場所での清掃作業を少なくでき、清掃によって手洗器１０が使用できない時間（ダウンタイム）を短くできる。
【００４０】
更に、ストレーナ１８１を金属やセラミック等、耐火性の材料で構成されている場合には、ストレーナ１８１を火にかける等して加熱し、ゴミを焼却してもよい。これによりストレーナ１８１の網部１８Ａに髪の毛など繊維状のゴミが絡みついていた場合でも容易に取り除くことができる。従来、人の目につく位置に設置される目皿や網を火にかけると、変色したり光沢が失われたりして、美感が損なわれるため、火にかける手法をゴミの清掃に採用することはできなかったが、本実施形態の手洗器１０では、使用者がストレーナ１８１を目にすることがないため、ストレーナ１８１を火にかけて清掃しても美感を損なうことがない。
【００４１】
〈変形例１〉
図６は、変形例１に係るストレーナ１８１αを示す図である。なお、本変形例は、前述の実施形態と比較してストレーナ１８１αの形状が異なっており、その他の構成は同じである。
【００４２】
図６に示すように、ストレーナ１８１αは、先端部の網部１８Ｃが先細形状となっている。このように、網部１８Ｃは、後部の外径が排水管１６０の内径に近く、後部の外面は、排水管１６０の内壁に接している。これに対し、網部１８Ｃに係る先端側の外径は、先端側ほど小さくなっており、先端側の外周面は、先端側ほど排水管１６０の内壁から離れている。
【００４３】
これにより網部１８Ｃに排水を通過させて濾す面積を図４，図５の網部１８Ａと比べて大きくなり、ゴミによる目詰まりを低減させるので、清掃の頻度を抑えることができる。
【００４４】
〈変形例２〉
図７は、変形例２に係るストレーナ１８１βを示す図、図８は、変形例２に係る筒部１８２の開口側端部を示す図、図９は、変形例２に係るストレーナ１８１βを先端から見た図である。
【００４５】
図７に示すストレーナ１８１βは、取っ手１８Ｂの後端に蓋部１８３が固設されている。なお、本変形例は、前述の変形例１と比較して蓋部１８３が網部１８Ｃ及び取っ手１８Ｂと一体とされた構成が異なっており、その他の構成は同じである。
【００４６】
図８に示すように、筒部１８２の開口側端部１８２２には、外側へ突出した係合部１８２３が設けられている。この係合部１８２３は、フランジの一部を周方向に所定間隔で切り欠いた形状となっている。即ち、筒部１８２の開口側端部１８２２の外周に、切欠き部１８２４と係合部１８２３とが交互に並んだ構成となっている。
【００４７】
一方、図９に示すように、筒部１８２の開口側端部１８２２に外嵌する蓋部１８３の内周面には、内側へ突出した係合部１８３１が設けられている。この係合部１８３１は、筒部１８２の係合部１８２３と同様、周方向に切欠き部１８３２と交互に並んだ構成となっている。
【００４８】
ストレーナ１８１βを筒部１８２に取り付ける場合、網部１８Ｃを筒部１８２の開口から挿抜経路へ挿入し、蓋部１８３の係合部１８３１を筒部１８２の切欠き部１８２４の位置に合わせて外嵌し、係合部１８３１を係合部１８２３よりも先端側（奥側）に位置させた状態で周方向に回転させ、係合部１８３１と係合部１８２３とを重ね合わせることで係合させる。図１０は、筒部１８２に蓋部１８３を取り付けた状態（係合状態）を示す図である。このように蓋部１８３を筒部１８２に係合させることで、筒部１８２内の挿抜経路を密閉する。
【００４９】
ストレーナ１８１βを抜き出す場合、清掃者は、蓋部１８３を握り、周方向に回転させて、蓋部１８３の係合部１８３１を筒部１８２の切欠き部１８２４の位置に合わせて、斜め上に引くことでストレーナ１８１βを抜き出すことができる。このように本実施形態では、蓋部１８３と一体的にストレーナ１８１βを引き抜くことができるので、清掃時の手間を減らし、更に容易に清掃を行うことができる。
【符号の説明】
【００５０】
１０      ：手洗器
１８Ａ    ：網部
２０      ：水栓制御部
３０      ：壁
１０６    ：排水管
１１０    ：手洗用水栓
１１２    ：手検知センサ
１３０    ：ボウル部
１３１    ：内底部
１３２    ：内壁
１３３    ：開口
１３４    ：前底部
１３５    ：排水口
１５０    ：人感センサ
１６０    ：排水管
１６４    ：封水
１６５    ：排水トラップ
１７０    ：ボウル洗浄用水栓
１８０    ：ゴミ受部
１８１    ：ストレーナ
【図１】
2020079521.tif 000003
【図２】
2020079521.tif 000004
【図３】
2020079521.tif 000005
【図４】
2020079521.tif 000006
【図５】
2020079521.tif 000007
【図６】
2020079521.tif 000008
【図７】
2020079521.tif 000009
【図８】
2020079521.tif 000010
【図９】
2020079521.tif 000011
【図１０】
2020079521.tif 000012